(57)【特許請求の範囲】
【請求項１】
複数の型枠を連続させて構成したコンクリート型枠の内面に模様付けシートを着脱自在に取付け、打設したコンクリート表面に凹凸模様を模様付けシートより転写するコンクリート型枠装置であって、
コンクリート型枠は伸縮型枠を備え、コンクリート型枠の内面に模様付けシートを長さ方向に間隔を隔てて複数箇所において着脱自在に取付ける取付け手段と、模様付けシートが取付けられているコンクリート型枠の伸縮型枠を伸ばしてコンクリート型枠の長さを仕上がり寸法に調整するとともに模様付けシートを緊張させる伸張手段と、伸縮型枠の伸張状態を維持する固定手段を備えて成ることを特徴とする模様付け機能を備えたコンクリート型枠装置。
【請求項２】
伸張手段及び固定手段は、伸縮型枠の左右のスライド型に架設するターンバックルであることを特徴とする請求項１記載の模様付け機能を備えたコンクリート型枠装置。
【請求項３】
コンクリート型枠に取付けられた模様付けシートとは別にコンクリート型枠の端部側に端部模様付けシートを緊張させることなく配設し、端部模様付けシートの一端部を緊張させる隣接の模様付けシートの端部に重ね、他端部を端部型枠に固定して成ることを特徴とする請求項１記載の模様付け機能を備えたコンクリート型枠装置。
【請求項４】
コンクリート型枠のコーナー側端部の端部模様付けシートはコーナー型枠に緊張させることなく沿わせ、断面略Ｌ字状のコーナー金具にて端部模様付けシートの中間部を押さえ、コーナー金具の上下端部をコーナー型枠に固定し、端部模様付けシートの両端部を、緊張させる隣接の模様付けシートの端部に重ねて固定して成ることを特徴とする請求項１記載の模様付け機能を備えたコンクリート型枠装置。
【請求項５】
模様付けシートの端部及び中間部の表面には縦目地形成用の突条を形成し、突条に沿う押さえ材の上下端部を型枠の上下端部に抱持させ、コンクリート基礎側に埋設される縦目地材を突条に着脱自在に取付けて成ることを特徴とする請求項１記載の模様付け機能を備えたコンクリート型枠装置。
【請求項６】
模様付けシートの上縁部に断面コ字状の硬質直線部材を付設して成ることを特徴とする請求項１記載の模様付け機能を備えたコンクリート型枠装置。
【発明の詳細な説明】
【０００１】
【発明の属する技術分野】
本発明は、模様付け機能を備えたコンクリート型枠装置に関し、詳しくは、コンクリート型枠側に取付ける模様付けシートを緊張させる構成、緊張状態を固定する構成を簡素化し、結果として、コンクリート型枠装置の構成を簡素化し、施工性を大幅に高め、併せて、模様付けシートを緊張させ固定する際に模様面を損傷するのを回避し、模様付けシートの再利用を容易にする技術に係るものである。
【０００２】
【従来の技術】
従来、複数の型枠１…を連続させて構成したコンクリート型枠１Ａの内面に模様付けシート２を付設し、打設したコンクリート表面に凹凸模様を転写する模様付け機能を備えたコンクリート型枠装置においては、図１８に示す特開２０００−３４５６９８号のように、コンクリート型枠１Ａの例えばコーナー型枠２５ａにスリットＳを形成し、コンクリート型枠１Ａの内面に模様付けシート２を沿わせて二枚のシート端部をスリットＳより導出し、スリットＳにコーナー金具Ｃを圧入して固定することで二枚の模様付けシート２、２を緊張状態に維持するものである。
【０００３】
【発明が解決しようとする課題】
ところで、スリットＳは例えばコーナー部に形成するのであり、コンクリート型枠１Ａの構成が複雑になるのであり、長い模様付けシート２の両端をスリットＳ、Ｓより引き出し緊張させる作業に労力を要するものであり、施工性も低いものとなっていた。更に、スリットＳより二枚の模様付けシート２、２の端部を引き出してスリットＳにコーナー金具Ｃを圧入して固定する際に、模様付けシート２、２の表面を損傷して模様付けシート２を再利用できなくなる場合があるという問題がある。更に、スリットＳをコンクリート型枠１Ａの途中に形成する構成においてもコンクリート型枠１Ａの構成は複雑になり、模様付けシート２、２を引き出す作業に労力を要して施工性が低くなることに変わりはない。
【０００４】
因みに、コンクリート型枠装置においては、モジュール寸法以外の任意の長さに調整することができるように、伸縮型枠を備えているものである。
【０００５】
本発明はこのような問題に鑑みてなされたものであり、コンクリート型枠装置において伸縮型枠を備えている点に着目し、伸縮型枠を有効に利用することによって、コンクリート型枠側に取付ける模様付けシートを緊張させる構成、緊張状態を固定する構成を簡素化し、結果として、コンクリート型枠装置の構成を簡素化し、施工性を大幅に高め、併せて、模様付けシートを緊張させ固定する際に模様面を損傷するのを回避し、模様付けシートの再利用を容易とする模様付け機能を備えたコンクリート型枠装置を提供することを課題とするものである。
【０００６】
【課題を解決するための手段】
請求項１においては、複数の型枠１…を連続させて構成したコンクリート型枠１Ａの内面に模様付けシート２を取付け、打設したコンクリート表面に凹凸模様３を模様付けシート２より転写するコンクリート型枠装置であって、コンクリート型枠１Ａは伸縮型枠４を備え、コンクリート型枠１Ａの内面に模様付けシート２を長さ方向に間隔を隔てて複数箇所において着脱自在に取付ける取付け手段５と、模様付けシート２が取付けられているコンクリート型枠１Ａの伸縮型枠４を伸張させてコンクリート型枠１Ａの長さを仕上がり寸法に調整するとともに模様付けシート２を緊張させる伸張手段６と、伸縮型枠４の伸張状態を維持する固定手段１２を備えていることを特徴とするものである。
【０００７】
このような構成によれば、伸縮型枠４を備えたコンクリート型枠１Ａに模様付けシート２を複数箇所において取付けた後、伸縮型枠４を伸張させてコンクリート型枠１Ａを所定の寸法に調整するのに伴って模様付けシート２を緊張させることができ、模様付けシート２をコンクリート型枠１Ａの内面に緊張させて取付けるために、従来のように、コンクリート型枠１ＡにスリットＳを形成するなどの改良を加えなくてもよく、コンクリート型枠１Ａの構成を簡素化することができ、更に、固定手段１２によって、伸縮型枠４を伸張させてコンクリート型枠１Ａを所定の寸法に固定することができ、模様付けシート２を緊張させた状態を維持することができるのであり、したがって、従来のように、スリットＳにコーナー金具Ｃを打込むことで模様付けシート２を緊張させながら緊張状態を維持しなくてもよく、コーナー金具Ｃを打ち込むことで、模様付けシート２に傷を付けたり損傷するようなことがなく、模様付けシート２を確実に再利用することができる。
【０００８】
即ち、請求項１の発明においては、コンクリート型枠装置において伸縮型枠４を備えて伸縮型枠４を伸張させることで所定の寸法に調整する点に着目し、伸縮型枠４を間にして模様付けシート２を型枠１、１に固定することによって、コンクリート型枠１Ａに取付ける模様付けシート２を緊張させるための構成を簡素化し、かつ、伸縮型枠４の伸張状態を固定することで模様付けシート２の緊張状態を固定することができ、模様付けシート２を緊張させて固定する構成を簡素化し、結果として、コンクリート型枠装置の構成を簡素化することができ、更に、模様付けシート２を緊張して取付けるための施工性を大幅に高めることができ、併せて、模様付けシート２を緊張させ固定する際に模様面を損傷するのを回避し、模様付けシート２の再利用を容易とすることを特徴とするものである。
【０００９】
請求項２においては、伸張手段６及び固定手段１２は、伸縮型枠４の左右のスライド型４ａ、４ｂに架設するターンバックル１３であることを特徴とするものである。このような構成によれば、ターンバックル１３の操作によって伸縮型枠４を容易に伸張させることができ、かつ、ターンバックル１３であるから、伸縮型枠４を伸張させた位置において確実に固定することができ、模様付けシート２を緊張させて確実に固定することができる。
【００１０】
請求項３においては、コンクリート型枠１Ａに取付けられた模様付けシート２とは別にコンクリート型枠１Ａの端部側に端部模様付けシート２ｂを緊張させることなく配設し、端部模様付けシート２ｂの一端部を緊張させる隣接の模様付けシート２の端部に重ね、他端部を端部型枠１ｃに固定していることを特徴とするものである。このような構成によれば、コンクリート型枠１Ａの端部には緊張させないで端部模様付けシート２ｂを配設し、端部模様付けシート２ｂの一端部を緊張させる模様付けシート２の端部に重ね、他端部を端部型枠１ｃに固定することで、端部模様付けシート２ｂを模様付けシート２に比べて短くしてシートの波打ちを回避して端部模様付けシート２ｂの固定を容易におこなえ、例えば、コーナー部における端部模様付けシート２ｂの固定を容易におこなえる。
【００１１】
請求項４においては、コンクリート型枠１Ａのコーナー側端部の端部模様付けシート２ｂはコーナー型枠２５に緊張させることなく沿わせ、断面略Ｌ字状のコーナー金具１７にて端部模様付けシート２ｂの中間部を押さえ、コーナー金具１７の上下端部をコーナー型枠２５に固定し、端部模様付けシート２ｂの両端部を、緊張させる隣接の模様付けシート２の端部に重ねて固定していることを特徴とするものである。このような構成によれば、コンクリート型枠１Ａのコーナー型枠２５に緊張させることなく沿わせた端部模様付けシート２ｂの両端部は、緊張させている隣接の模様付けシート２の端部に重ね、端部模様付けシート２ｂの中間部をコーナー金具１７によって押さえ、コーナー金具１７の上下端部をコーナー型枠２５に固定することで、コーナー部における端部模様付けシート２ｂの固定を容易におこなえる。
【００１２】
請求項５においては、模様付けシート２の端部及び中間部の表面には縦目地形成用の突条７を形成し、突条７に沿う押さえ材８の上下端部を型枠１の上下端部に抱持させ、コンクリート基礎１０側に埋設される縦目地材１１を突条７に着脱自在に取付けていることを特徴とするものである。このような構成によれば、模様付けシート２の端部及び中間部において形成した縦目地形成用の突条７を押さえ材８にて押さえて型枠１に固定することで、模様付けシート２の型枠１への固定を安定的にかつ強固に取付けることができ、それでいて、突条７に縦目地材１１を着脱自在に取付けて縦目地材１１をコンクリート基礎１０側に容易に埋設することができる。
【００１３】
請求項６においては、模様付けシート２の上縁部に断面コ字状の硬質直線部材１５を付設していることを特徴とするものである。このような構成によれば、長尺となった模様付けシート２の上縁部には硬質直線部材１５が被せられて上縁部が波打つことを防止することができ、模様付けシート２の上縁部と型枠１との間にコンクリートが入るのを防止する。
【００１４】
【発明の実施の形態】
以下、本発明の実施の形態を説明する。図１は基礎枠に模様付けシートを緊張させて取付けた詳細斜視図である。図２は模様付けシートを取付ける前の基礎枠の詳細斜視図である。図３は基礎枠に模様付けシートを取付けて模様付けシートが緊張されていない状態を示す詳細斜視図である。
【００１５】
地面に施工された例えば捨てコンクリート１６にレベルを出して鉄筋ベース１９…をコーナー部及び直線部に配置し、鉄筋ベース１９に鉄筋２０を配置し連結し、又、鉄筋ベース１９にコンクリートの打設間隔（コンクリート基礎１０の厚さ）を隔てて型枠１を組み付けて立ち上げ、複数の型枠１…を連結具２２［図４（ａ）］にて着脱自在に連結し、基礎の長さ方向に連結された型枠１、１の下部の外側にベース枠２３を支持棒２４にて支持してコンクリート型枠１Ａを構成するのである。
【００１６】
コーナー型枠２５、２５間における複数の型枠１…には伸縮する伸縮型枠４を例えば中間（端部であってもよい）に組み込んでいて、伸縮型枠４は組み立て時には収縮されていて、コーナー型枠２５、２５間の仕上がり寸法（設計寸法）に比べて約２ｃｍ（例えば片側に約１ｃｍ毎）短くしている。
【００１７】
図４及び図５に示すように、型枠１及び伸縮型枠４の縦フレーム２６には上中下の３箇所に貫通孔２７を形成している。左右の縦フレーム２６、２６の一方のものに対向させて支持片２８を設け、支持片２８に移動孔２９を設け、貫通孔２７と移動孔２９に棒材３０をスライド及び回転自在に支持し、棒材３０に略Ｕ字状の連結ピン３１を片持ち状に保持している。
【００１８】
しかして、棒材３０を縦フレーム２６の支持片２８側の貫通孔２７と支持片２８の移動孔２９とに挿通した、図４（ａ）の右方の状態で、型枠１の厚みの範囲内に収まっている略Ｕ字状の連結ピン３１を棒材３０を回転させて起こし、棒材３０とともに連結ピン３１を移動させて隣接の型枠１の縦フレーム２６の貫通孔２７、２７に挿通し、その後、棒材３０とともに連結ピン３１を回動させ、略Ｕ字状の連結ピン３１を隣接の型枠１、１の縦フレーム２６、２６に嵌合して型枠１、１及び伸縮型枠４を引き寄せながら連結するようにしている［図４（ａ）の左方の状態］。
【００１９】
伸縮型枠４は左右のスライド型４ａ、４ｂを備え、例えば、断面コ字状の上下フレーム３２、３２を挿通させることで、スライド自在になって伸縮できるものである。左右の縦フレーム２６、２６の上下中間部の内面側の貫通孔２７ａ、２７ａに左右ねじ３３、３４を備えたターンバックル１３の先端のピン３５、３５を挿通していて、筒状ナット３６を工具で回転させることで、ターンバックル１３によって左右のスライド型４ａ、４ｂをスライドさせて伸張させることができるようにしている。伸縮型枠４の伸縮によってモジュール寸法外の寸法に調整することができ、コンクリート型枠１Ａの汎用性を高めることができるものである。
【００２０】
模様付けシート２は合成樹脂製で約１〜２ｍｍ（目地部で約６ｍｍ）程度の厚さでその表面に模様凹凸２ａを形成し、適宜間隔を隔てて突条７を上下にわたって形成していて、型枠１…及び伸縮型枠４の内面に取付けて打設されるコンクリート基礎１０の表面に凹凸模様３を転写するものである。このような合成樹脂製の模様付けシート２は長尺物で例えばロール状に巻かれて保管され、必要長さに切断されて使用されるものである。模様付けシート２の切断位置は、突条７を残して突条７の側部としている。突条７の両側面には凹溝３９、３９を形成してあり、両凹溝３９、３９に縦目地材１１の爪４０、４０を着脱自在に係入している。
【００２１】
ところで、模様付けシート２を型枠１や伸縮型枠４の内面に取付けた場合に、模様付けシート２が波打ち、コンクリートの打設時にしわが入り、模様付けシート２からコンクリート基礎１０の表面に良好な凹凸模様３の転写が妨げられるおそれがあるが、本発明においては、コンクリート型枠１Ａにおいて伸縮型枠４を備えることで汎用性を高める点を有効に利用することで模様付けシート２を良好に緊張させようとするものである。
【００２２】
しかして、設計寸法よりも約２ｃｍ縮めた寸法にコンクリート型枠１Ａを組み立てた状態で、図３、図９（ａ）、図１０（ａ）、同図（ｂ）、図１３に示すように、断面コ字状の押さえ金具１４を伸縮型枠４を挟んだ型枠１、１の上端面に載置し、締付けボルト３７をねじ込んで型枠１の外面に押圧して締付けることで、模様付けシート２の上端部を型枠１に取付けるようにしている。この場合、押さえ金具１４の押さえ片４１の内面に多数の凸部を形成することで、模様付けシート２を強固に取付けるようにしている。
【００２３】
図７、図８及び図９に示すように、模様付けシート２に形成した突条７には上下全長にわたって押さえ材８が当てられ、押さえ材８の上下端部から延出した略Ｌ字状の抱持片９、９を型枠１及び伸縮型枠４の外面に抱持させることで、模様付けシート２を型枠１及び伸縮型枠４に取付けている。このように模様付けシート２を型枠１又は伸縮型枠４に取付ける構成を取付け手段５と総称し、その構成は変更することができる。
【００２４】
図１０及び図１１に示すように、コンクリート型枠１Ａのコーナー側端部の端部模様付けシート２ｂはコーナー型枠２５及び隣接の型枠１に緊張させることなく沿わせてあり、端部模様付けシート２ｂの両端部を、緊張させる隣接の模様付けシート２の端部裏面に予め重ねて固定している。端部模様付けシート２ｂのコーナー部においては、断面略Ｌ字状のコーナー金具１７にて端部模様付けシート２ｂを押さえ、コーナー金具１７の上下端部より延出した番線３８、３８をコーナー型枠２５に巻き付けて固定している。
【００２５】
以上のように、コンクリート型枠１Ａは伸縮型枠４を備え、コンクリート型枠１Ａの内面に模様付けシート２を長さ方向に間隔を隔てて複数箇所において着脱自在に取付ける取付け手段５と、模様付けシート２が取付けられているコンクリート型枠１Ａの伸縮型枠４を伸張させてコンクリート型枠１Ａの長さを仕上がり寸法に調整するとともに模様付けシート２を緊張させる伸張手段６（ターンバックル１３にて構成している）と、伸縮型枠４の伸張状態を維持する固定手段１２（ターンバックル１３にて構成している）を備えていることから、伸縮型枠４を備えたコンクリート型枠１Ａに模様付けシート２を複数箇所において取付けた後、伸縮型枠４をターンバックル１３によって伸張させてコンクリート型枠１Ａを所定の寸法に調整するのに伴って模様付けシート２を緊張させることができるのであり、模様付けシート２をコンクリート型枠１Ａの内面に緊張させて取付けるために、従来のように、コンクリート型枠１ＡにスリットＳを形成するなどの改良を加えなくてもよく、コンクリート型枠１Ａの構成を簡素化することができるのである。
【００２６】
更に、ターンバックル１３にて構成している固定手段１２によって、伸縮型枠４を伸張させてコンクリート型枠１Ａを所定の寸法に固定することができ、模様付けシート２を緊張させた状態を維持することができるのである。したがって、従来のように、スリット９にコーナー金具Ｃを打込むことで模様付けシート２を緊張させながら緊張状態を維持しなくてもよく、コーナー金具Ｃを打ち込むことで、模様付けシート２に傷を付けたり損傷するようなことがなく、模様付けシート２を再利用することができる。
【００２７】
このように、伸張手段６及び固定手段１２は、伸縮型枠４の左右のスライド型４ａ、４ｂに架設するターンバックル１３であることから、ターンバックル１３の操作によって伸縮型枠４を容易に伸張させることができ、かつ、ターンバックル１３であるから、伸縮型枠４を伸張させた位置において確実に固定することができ、模様付けシート２を緊張させて確実に固定することができる。
【００２８】
この場合、コンクリート型枠１Ａの端部型枠１ｃを構成するコーナー型枠２５に緊張させることなく沿わせた端部模様付けシート２ｂの両端部は、緊張させる隣接の模様付けシート２の端部裏面に敷込み、端部模様付けシート２ｂの中央部をコーナー金具１７によって押さえ、コーナー金具１７の上下端部をコーナー型枠２５に固定することで、コーナー部における端部模様付けシート２ｂの固定を容易におこなえる。
【００２９】
更に、模様付けシート２の端部及び中間部の表面には縦目地形成用の突条７を形成し、突条７に沿う押さえ材８の上下端部に略Ｌ字状で型枠１の上下端部に抱持させる抱持片９、９を延出し、コンクリート基礎１０側に埋設される縦目地材１１を突条７に爪４０を介して着脱自在に取付けていることから、模様付けシート２の型枠１への固定を安定的にかつ強固に取付けることができ、それでいて、突条７に縦目地材１１を着脱自在に取付けて縦目地材１１をコンクリート基礎１０側に容易に埋設することができる。
【００３０】
図１３及び図１４に示すように、模様付けシート２の上縁部に断面コ字状で金属製の硬質直線部材１５を付設しているのであり、長尺となった模様付けシート２の上縁部には硬質直線部材１５が被せられて上縁部が波打つことを防止することができ、模様付けシート２の上縁部と型枠１との間にコンクリートが入るのを防止している。
【００３１】
ところで、端部模様付けシート２ｂは、端部型枠１ｃを構成するコーナー型枠２５に沿うＬ字状のものであっても、例えば、図６に示すように、模様付けシート２からコーナー型枠２５至る小片状のものであってもよいものである。
【００３２】
【発明の効果】
請求項１に係る発明においては、伸縮型枠を備えたコンクリート型枠に模様付けシートを複数箇所において取付けた後、伸縮型枠を伸張させてコンクリート型枠を所定の寸法に調整するのに伴って模様付けシートを緊張させることができるのであり、従来のように、コンクリート型枠にスリットを形成するなどの改良を加えなくてもよく、コンクリート型枠の構成を簡素化することができ、更に、固定手段によって、伸縮型枠を伸張させてコンクリート型枠を所定の寸法に固定することができるのであり、模様付けシートを緊張させた状態を維持することができるのであり、したがって、従来のように、スリットにコーナー金具を打込むことで模様付けシートを緊張させながら緊張状態を維持しなくてもよく、コーナー金具を打ち込むことで、模様付けシートに傷を付けたり損傷するようなことがなく、模様付けシートを確実に再利用することができるという利点がある。
【００３３】
請求項２に係る発明においては、請求項１の効果に加えて、ターンバックルの操作によって伸縮型枠を容易に伸張させることができ、かつ、ターンバックルであるから、伸縮型枠を伸張させた位置において確実に固定することができ、模様付けシートを緊張させて確実に固定することができるという利点がある。
【００３４】
請求項３に係る発明においては、請求項１の効果に加えて、コンクリート型枠の端部には緊張させないで端部模様付けシートを配設し、端部模様付けシートの一端部を緊張させる模様付けシートの端部に重ね、他端部を端部型枠に固定することで、端部模様付けシートを模様付けシートに比べて短くしてシートの波打ちを回避して端部模様付けシートの固定を容易におこなえ、例えば、コーナー部における端部模様付けシートの固定を容易におこなえるという利点がある。
【００３５】
請求項４に係る発明においては、請求項１の効果に加えて、端部模様付けシートの中央部をコーナー金具によって押さえ、コーナー金具の上下端部をコーナー型枠に固定することで、コーナー部における端部模様付けシートの固定を容易におこなえるという利点がある。
【００３６】
請求項５に係る発明においては、請求項１の効果に加えて、模様付けシートの端部及び中間部において形成した縦目地形成用の突条を押さえ材にて押さえて型枠に固定することで、模様付けシートの型枠への固定を安定的にかつ強固に取付けることができ、それでいて、突条に縦目地材を着脱自在に取付けて縦目地材をコンクリート基礎側に容易に埋設することができるという利点がある。
【００３７】
請求項６に係る発明においては、請求項１の効果に加えて、長尺となった模様付けシートの上縁部には硬質直線部材が被せられて上縁部が波打つことを防止することができ、模様付けシートの上縁部と型枠との間にコンクリートが入るのを防止することができるという利点がある。
【図面の簡単な説明】
【図１】本発明の実施の一形態の基礎枠を施工した詳細斜視図である。
【図２】同上の模様付けシートを取付ける前の基礎枠の詳細斜視図である。
【図３】同上の基礎枠に模様付けシートを取付けて模様付けシートが緊張されていない状態を示す詳細斜視図である。
【図４】同上の伸縮型枠とターンバックルを示し、（ａ）は正面図、（ｂ）は部分水平断面図である。
【図５】同上の一部破断した斜視図である。
【図６】同上の基礎枠に取付けた模様付けシートを緊張させている状態を示す詳細斜視図である。
【図７】同上の縦目地材の施工を示し（ａ）は縦目地材を取付ける前の斜視図、（ｂ）は取付け後の水平断面図である。
【図８】同上の縦目地材の施工を示し、（ａ）は正面図、（ｂ）は側面断面図である。
【図９】（ａ）は同上の模様付けシートの固定構成を示す斜視図、（ｂ）（ｃ）は縦目地材の取付け作用を示す斜視図である。
【図１０】同上の端部模様付けシートの施工を示し、（ａ）（ｂ）は斜視図である。
【図１１】同上の端部模様付けシートの固定作用を示し、（ａ）は斜視図、（ｂ）はコーナー金具の斜視図、（ｃ）は固定後の斜視図である。
【図１２】同上の基礎枠の詳細斜視図である。
【図１３】（ａ）は同上の模様付けシートの上端部に硬質直線部材を取付けた斜視図、（ｂ）は作用を示す斜視図である。
【図１４】同上の基礎枠の詳細斜視図である。
【図１５】同上の縦目地材がコンクリート基礎に埋設された状態を示す斜視図である。
【図１６】同上の仕上がり後のコンクリート基礎の斜視図である。
【図１７】同上のコンクリート基礎の全体斜視図である。
【図１８】従来例を示し、（ａ）は分解斜視図、（ｂ）は概略水平断面図である。
【符号の説明】
１    型枠
２    模様付けシート
３    凹凸模様
４    伸縮型枠
４ａ  スライド型
４ｂ  スライド型
５      取付け手段
６    伸張手段
７    突条
８    押さえ材
９    抱持片
１０  コンクリート基礎
１１  縦目地材
１２  固定手段
１３  ターンバックル
１４  押さえ金具
１５  硬質直線部材
【図１】
0003559539.tif 000002
【図２】
0003559539.tif 000003
【図３】
0003559539.tif 000004
【図４】
0003559539.tif 000005
【図５】
0003559539.tif 000006
【図６】
0003559539.tif 000007
【図７】
0003559539.tif 000008
【図８】
0003559539.tif 000009
【図９】
0003559539.tif 000010
【図１０】
0003559539.tif 000011
【図１１】
0003559539.tif 000012
【図１２】
0003559539.tif 000013
【図１３】
0003559539.tif 000014
【図１４】
0003559539.tif 000015
【図１５】
0003559539.tif 000016
【図１６】
0003559539.tif 000017
【図１７】
0003559539.tif 000018
【図１８】
0003559539.tif 000019